(57)【要約】【課題】釣糸ガイドがガイド受座に確実に回り止め装着でき、かつ軽量で撓み性の良い釣竿を提供する。【解決手段】繊維強化合成樹脂製竿杆１０の所定位置外側にガイド受座ＺＢを一体化しており、該ガイド受座外周に、竿杆の長手方向に延伸し、円周方向に多数形成された受座側凹凸条Ｊを有し、該凹凸条の頂部から谷部までの溝深さｆが、前記ガイド受座の円周方向において概ね一定であると共に、長手方向の所定長さＬ１においても概ね一定であり、これに装着させる釣糸ガイドの装着筒部内周は、前記受座側凹凸条のピッチと同一ピッチの筒部側凹凸条を有するよう構成する。【選択図】　　　　図２
2004081079.tif 000002
【特許請求の範囲】
【請求項１】
繊維強化合成樹脂製竿杆の所定位置外側にガイド受座を一体化しており、該ガイド受座外周に、竿杆の長手方向に延伸し、円周方向に多数形成された受座側凹凸条を有し、該凹凸条の頂部から谷部までの溝深さが、前記ガイド受座の円周方向において概ね一定であると共に、長手方向の所定長さにおいても概ね一定であり、これに装着させる釣糸ガイドの装着筒部内周は、前記受座側凹凸条のピッチと同一ピッチの筒部側凹凸条を有することを特徴とする釣竿。
【請求項２】
前記受座側凹凸条の溝底面の高さが、後方側において漸次高くなっている請求項１記載の釣竿。
【請求項３】
前記受座側凹凸条がガイド受座領域内の後方部において終端している請求項１記載の釣竿。
【請求項４】
前記受座側凹凸条の溝深さは、前記筒部側凹凸条の溝深さよりも浅くしてなる請求項１〜３の何れか１記載の釣竿。
【請求項５】
繊維強化合成樹脂製竿杆の所定位置外側にガイド受座を一体化しており、該ガイド受座外周を所定精度の円形に加工する工程と、該円形のガイド受座外周を基準にしてガイド受座に長手方向に延伸する溝を加工する工程とを有し、該所定ピッチの多数本の溝の深さが円周方向において概ね一定していることを特徴とする釣竿の製造方法。
【発明の詳細な説明】
【０００１】
【発明の属する技術分野】
本発明は外部に釣糸ガイドを装着するガイド受座を有する釣竿とその製造方法に関する。
【０００２】
【従来の技術】
竿杆の所定位置に肉盛部を設け、この肉盛部を断面非円形に加工したり、長手方向に延伸した多数の凹凸条を設けたりして、釣糸ガイドの装着筒部内周の断面非円形係合部を係合させたり、内周の凹凸条を係合させたりして、釣糸ガイドの回動を防止すると共に、その位置に保持固定している。そうした例が特開昭６４−３９９２３号公報や、特公平８−２９５６４号公報に開示されている。前者では、肉盛部に平面部を形成する加工方法が開示されており、支持具で竿杆部位を保持しつつ肉盛部を研削具で研削する方法が開示されている。
【０００３】
【発明が解決しようとする課題】
然しながら、竿杆自体は、加熱成形によって多少の曲りを生じる場合が多く、その竿杆部位を基準にした肉盛部の加工は、加工精度が低下する。また、肉盛部は、通常、プリプレグで形成されるが、プリプレグの巻回によって一般に偏肉が生じる。この表面をセンタレス研削加工して断面円形に仕上げても、その軸心は竿杆の軸心と一致しない場合も多い。従って、肉盛部に多数の凹凸条を形成する研削加工の場合、竿杆を基準にした肉盛部の研削加工では、各溝の研削毎に、それを研削する前に肉盛部表面位置をいちいち計測して基準を確認しながら研削しなければ溝深さを一定にできない。しかし、現実に各溝毎にそれを行っていたのでは製造効率が非常に悪くなる。かといって、最初の１回のみの計測では、竿杆を保持して各溝毎に竿杆をピッチ回転させた際、既述の如く肉盛部が竿杆と同心とは限らないため溝深さにバラツキが生じる。竿杆はできるだけ軽量にしたく、また、撓み性を阻害されたくないため、肉盛部はできるだけ薄く形成したいという基本要求がある。従って、この薄肉化すべき肉盛部に対して、溝の深さが不均一であれば、場所によっては溝が研削されなかったり、逆に深すぎて竿杆自体を研削する虞もある。これでは竿杆の強度を損ねてしまう。こうしたことを防止するためには、肉盛部を余分に厚くしなければならない。
【０００４】
上記前者公報の場合は、１つか２つの平面部を形成するだけなので、平面部に形成するための研削深さ等は、研削の都度測定して行えば済む。然しながら、後者公報に開示の多数の凹凸条（溝）を、研削によって形成するとして、各溝毎にいちいち基準を計測しつつ加工することは手数を要し、高コストの釣竿となってしまう。
依って本発明は、竿杆の肉盛部に多数の凹凸条を加工してガイド受座を形成する場合に、溝の深さを一定にでき、効率的に製造できて低コストな製造方法の提供を目的とする。
また、釣糸ガイドがガイド受座に確実に回り止め装着でき、かつ軽量で撓み性の良い釣竿の提供を目的とする。
【０００５】
【課題を解決するための手段】
上記目的に鑑み本発明の請求項１では、繊維強化合成樹脂製竿杆の所定位置外側にガイド受座を一体化しており、該ガイド受座外周に、竿杆の長手方向に延伸し、円周方向に多数形成された受座側凹凸条を有し、該凹凸条の頂部から谷部までの溝深さが、前記ガイド受座の円周方向において概ね一定であると共に、長手方向の所定長さにおいても概ね一定であり、これに装着させる釣糸ガイドの装着筒部内周は、前記受座側凹凸条のピッチと同一ピッチの筒部側凹凸条を有することを特徴とする釣竿を提供する。
概ね一定とは、大部分の溝が±０．０５ｍｍ以内の変動をいう。好ましくは±０．０３ｍｍ以内の変動をいう。
【０００６】
溝深さがガイド受座の円周方向において概ね一定であるため、ガイド受座の肉厚は、その一定の深さに所定量の厚さを残すだけの薄さに設定でき、釣竿の軽量化と撓み性阻害防止に寄与する。また、長手方向の所定長さにおいても概ね一定であるため、釣糸ガイドの装着筒部を挿入した場合に、所定量の食い込み係合感が十分に生じ、ガイド受座の所定位置に確実に回り止め装着できる。また、釣糸ガイドの装着筒部内周が受座側凹凸条のピッチと同一ピッチの凹凸条であるため、係合に際して互いの凸条と凹条とが全て係合し合い、均等な負荷が作用するため、耐久性が向上する。
【０００７】
請求項２では、前記受座側凹凸条の溝底面の高さが、後方側において漸次高くなっている請求項１記載の釣竿を提供する。
受座側凹凸条の溝底面の高さが後方側において漸次高くなっているため、釣糸ガイドの装着筒部を後方側に押し込むことにより、強固に係合可能となる。
【０００８】
請求項３では、前記受座側凹凸条がガイド受座領域内の後方部において終端している請求項１記載の釣竿を提供する。
ガイド受座に押し込み装着させる釣糸ガイドが、受座側凹凸条や筒部側凹凸条の摩耗等によって不用意に後方側に抜け出てしまうことを防止できる。
【０００９】
請求項４では、前記受座側凹凸条の溝深さは、前記筒部側凹凸条の溝深さよりも浅くしてなる請求項１〜３の何れか１記載の釣竿を提供する。
受座側凹凸条の溝が筒部側のそれと異なるように（浅く）設定するので、係合時に釣糸ガイドの装着筒部とガイド受座との間に隙間が生じる。従って、ガイドの装着された部位のガイド受座の撓み剛性上昇が緩和される。また、受座側凹凸条の側を浅くするので、ガイド受座の肉厚を薄く設定でき、それだけ撓み剛性上昇緩和と軽量化に寄与できる。
【００１０】
請求項５では、繊維強化合成樹脂製竿杆の所定位置外側にガイド受座を一体化しており、該ガイド受座外周を所定精度の円形に加工する工程と、該円形のガイド受座外周を基準にしてガイド受座に長手方向に延伸する溝を加工する工程とを有し、該所定ピッチの多数本の溝の深さが円周方向において概ね一定していることを特徴とする釣竿の製造方法を提供する。
所定精度とは、加工されたガイド受座外周に外接する最小の外接円（半径Ｒ１）の中心で測ったガイド受座外周までの最小の長さ（半径）をＲ２とし、Ｒ１−Ｒ２＝Δが、０．０５ｍｍ以下、好ましくは０．０３ｍｍ以下を意味する。
【００１１】
円形状のガイド受座外周を基準にしてガイド受座に長手方向に延伸する溝を加工するとは、溝加工の際にはガイド受座をチャックで掴んだ状態や、ガイド受座を受け具で受けた状態で加工し、前者ではチャックの軸心とガイド受座の軸心とが一致する（即ち、チャックの中心軸心の空間位置は常に捕捉できている（典型的には一定の位置にある）ため、ガイド受座の軸心も常に同じ位置として捕捉できる（典型的には一定の位置にある））ことを狙うことであり、後者では受け具の受け面から割り出したガイド受座の軸心が常に捕捉できる（典型的には一定の位置にある）ことを狙うことである。
【００１２】
断面円形状に加工されたガイド受座を回転させても、所定精度の円形外周が基準となるため、ガイド受座の軸心を不変に維持できる。従って、溝を加工すべき対象のガイド受座外周も、回転に拘わらず常に不変位置に維持できる。即ち、例えば、溝加工の前に計測等で決定したガイド受座外周面の高さ等の空間位置は、回転によっては常に一定に維持できる。従って、最初の溝の加工に際してガイド受座外周面から切り込んだ深さは、その後に回転させても、計測等を反復することなくそのまま維持でき、ガイド受座の円周方向において概ね深さを一定にした多数本の溝を容易に形成できる。
【００１３】
【発明の実施の形態】
以下、本発明を添付図面に示す実施形態例に基づき、更に詳細に説明する。
図１は本発明に係る釣竿の穂先領域の側面図である。エポキシ樹脂等の合成樹脂をマトリックとし、炭素繊維等の強化繊維で強化した繊維強化合成樹脂製の穂先竿１０には、この例では長手方向の３箇所に遊動釣糸ガイド１０Ａ，１０Ｂ，１０Ｃが配設保持されている。穂先竿１０の上記３箇所付近にはガイド受座ＺＡ，ＺＢ，ＺＣが設けられている。また、先端部にはトップガイド１０Ｔが装着されている。参照番号１２は穂持竿である。この例の釣竿は３本継であり、図示しない元竿もある。
【００１４】
後述するが、各ガイド受座は竿杆本体である穂先竿１０の表面に、穂先竿の成形時に、穂先竿成形プリプレグと共に繊維強化樹脂プリプレグ等の巻回によって一体化形成している。穂先竿の成形後に一体化させてもよい。成形後に研削して断面円形に仕上げ、そのガイド受座表面に長手方向に延伸した凹凸条Ｊを円周方向に所定ピッチで多数本設けている。但し、この例では、各ガイド受座の後端部付近は凹凸条が無くて円形表面の存置された筒状部Ｅとなっている。
【００１５】
遊動釣糸ガイド１０Ａ，１０Ｂ，１０Ｃは、図４にも図示するように、前記各ガイド受座に装着させるための装着筒部Ｔと、釣糸を案内するガイドリングＧと、該ガイドリングと前記装着筒部とを連結させるフレーム部Ｆとを有している。ガイドリングＧは炭化珪素等のセラミックスやステンレス鋼等の金属からなる耐摩耗性材料製である。装着筒部Ｔは合成樹脂や金属で形成できる。また、フレーム部Ｆは金属や合成樹脂で形成できる。
【００１６】
中間位置のガイド受座ＺＢを例として図２に縦断面を図示しているが、他の２つのガイド受座も同様である。ガイド受座ＺＢの後端部付近の筒状部Ｅを除き、この例では全周に亘って凹凸条Ｊが設けられている。図３には図２の矢視線Ｃ−Ｃによる拡大部分横断面を図示している。凹凸条Ｊは、凸条Ｊ１と、凹条Ｊ２とが長手方向に延伸している。本願では凹条は溝と称することもある。円形に研削加工された表面ＺＢＳをそのまま残した凸条表面の幅はａであり、溝の幅はｂであり、ａ＋ｂが１つのピッチＰとなり、この例では全周に亘って同一ピッチで凹凸条が形成されている。
【００１７】
溝の深さｆは、凹凸条の前側大半領域Ｌ１において概ね一定である。しかし、溝の最も深い部分の底部の肉厚ｔは領域Ｌ１の前端部においてｔ１であり、後端部においてｔ２（＞ｔ１）であり、前端部から後端部に亘って漸次厚く、即ち、凹凸条の溝底面の高さが後方側において漸次高く形成されている。即ち、ガイド受座の外周を研削して円形表面ＺＢＳに形成した際に、前細テーパのガイド受座としたものである。凹凸条の後端側の短い領域Ｌ２においては、溝深さは後方側に漸次浅くなり、ついには筒状部Ｅの表面に至っている。
【００１８】
長手方向の前記領域長さＬ１において溝深さｆが概ね一定であるため、遊動釣糸ガイドの装着筒部を挿入した場合に、所定量の食い込み係合感が十分に生じ、ガイド受座の所定位置に確実に回り止め装着できる。また、凹凸条の溝の底面高さが後方側において漸次高くなっているため、釣糸ガイドの装着筒部を後方側に押し込むことにより、強固に係合できる。更には、凹凸条がガイド受座領域内の後方部において終端している（筒状部Ｅが残っている）ので、ガイド受座に押し込み装着させる遊動釣糸ガイドが、受座側凹凸条や筒部側凹凸条の摩耗等によって不用意に後方側に抜け出てしまうことを防止できる。
【００１９】
また、前記ガイド受座の溝底の肉厚ｔ１，ｔ２は、これらに対応する位置での穂先竿１０の各肉厚Ｔ１，Ｔ２よりも薄くすると軽量化できるので好ましい。また、これらの間領域Ｌ１の溝底の肉厚ｔは、その位置の穂先竿肉厚Ｔよりも薄い。一定の溝深さｆの例を挙げると０．１ｍｍである。深さｆは０．０２〜０．２ｍｍ程という浅い溝である。従って、ガイド受座を薄くでき、この例の場合、ガイド受座の肉厚（ｔ＋ｆ）は０．２〜０．４ｍｍ又は０．２〜０．５ｍｍにするとよく、穂先竿１０の肉厚（Ｔ１＋Ｔ２）／２に対し、３０〜８０％程度に形成する。こうして撓み性の阻害を防止している。また、釣竿の軽量化に寄与している。
【００２０】
ガイド受座の前端と後端において、夫々、前方、後方に漸減する傾斜状の段差緩和部ＤＳ１，ＤＳ２を形成してもよい。これを合成樹脂や塗料で形成してもよい。この段差緩和部は、穂先竿が撓んだ際の応力集中の緩和の他、外観向上の作用も果たす。
【００２１】
各遊動釣糸ガイドの装着筒部Ｔの内周には、各対応するガイド受座に設けた凹凸条Ｊと同一ピッチの凹凸条Ｊ’が形成されている。従って、係合に際して互いの凸条と凹条とが全て係合し合い、均等な負荷が作用するため、夫々の耐久性が向上する。この係合し合った状態を図５に図示している。また、図６はその一部を拡大図示している。
【００２２】
遊動釣糸ガイドの筒部側凹凸条Ｊ’の溝Ｊ２’の深さｆ’（凸条Ｊ１’の高さ）よりも受座側凹凸条Ｊの溝深さｆは浅い。また、筒部側凹凸条Ｊ’の山形状の凸条Ｊ１’の先端角度θは６０度〜１２０度の範囲内であって、ここでは概ね９０度程度である。
【００２３】
一方、受座側凹凸条の溝Ｊ２の形状は幅広で浅く、この例では円形や楕円形状の一部のような曲面形状である。溝Ｊ２が浅くて広いため、図６に示すように、筒部側凹凸条Ｊ’の山形状である凸条Ｊ１’は、溝Ｊ２の底部に当接し、山状凸条Ｊ１’の左右側方には、受座側凹凸条Ｊの凸条Ｊ１との間に、比較的大きな割合の隙間ＳＰ１，ＳＰ２が残る。また、受座側凹凸条Ｊの凸条Ｊ１頂面と筒部側凹凸条Ｊ’の溝Ｊ２’との間にも大き目の隙間ＳＰ３が形成される。従って、筒部側凹凸条Ｊ’の凸条Ｊ１’が、受座側凹凸条Ｊの溝Ｊ２の低位置の底部に当るが、凸条Ｊ１の左右の縁部に当って摩耗することが防止され、浅い溝を有する凹凸条Ｊの耐久性が向上する。
【００２４】
上記のように凹凸条の溝深さが浅い場合やガイド受座の肉厚が薄肉の場合は、凸条部が欠損し易いので、下記の様に構成すれば、凹凸条の欠損を防止して耐久性を向上させることができる。
即ち、繊維強化合成樹脂製竿杆の所定位置外側にガイド受座を一体化しており、該ガイド受座外周に、竿杆の長手方向に延伸し、円周方向に所定ピッチで多数形成された受座側凹凸条を有し、該凹凸条の溝は、該凹凸条の頂部から谷部までの溝深さが浅くて溝幅が広い形態であり、これに装着させる釣糸ガイドの装着筒部内周は、前記受座側凹凸条のピッチと同一ピッチの筒部側凹凸条を有し、該筒部側凹凸条の溝深さは前記受座側凹凸条の溝深さの２倍以上あり、更には、凸条は概ね山形状を成し、その頂角が６０〜１２０度の範囲であることを特徴とする釣竿を提供する。
【００２５】
これによれば、受座側凹凸条の溝が浅くて幅広であり、同一ピッチの筒部側凹凸条の溝深さは受座側凹凸条の溝深さの２倍以上あり、更には、凸条は概ね山形状を成し、その頂角が６０〜１２０度の範囲であるので、係合させた状態では、筒部側の山形状の凸条頂部が受座側凹凸条の溝の底部に当接し、筒部側凸条の山側部が、受座側溝の縁部、即ち、受座側凸条の縁部に接触することが防止できる。従って、欠けたり摩損し易いこれら縁部を保護でき、浅い溝を長く維持でき、耐久性が向上する。また、溝が浅いため、ガイド受座の肉厚を薄く設定でき、それだけ撓み剛性上昇緩和と軽量化に寄与できる。
【００２６】
なお、各遊動釣糸ガイドは、対応するガイド受座から前方に抜き去ることができる他、後方の遊動釣糸ガイドは前方にあるガイド受座をも通過できるような各寸法形態に構成している。また、各ガイド受座の最大外径は穂持竿１２の前端内径よりも小さく形成している。従って、穂先竿１０は穂持竿１２に対して振出式に収納できる。
【００２７】
図７はガイド受座の他の形態例を示し、図８はその矢視線Ｈ−Ｈによる拡大横断面図である。凹凸条Ｊをガイド受座ＺＢ’の全周ではなく、その一部である１２０度〜２７０度程度の範囲Θに設けてもよいという例である。従って、この角度範囲外では円形の表面が残っている。
【００２８】
図９は、凹凸条を研削加工する前のガイド受座ＺＢであり、ガイド受部ＺＢの表面ＺＢＳを精度の高い円形に加工した状態を図示している。穂先竿１０、又はこれを成形する竿素材の適宜位置上に、繊維強化樹脂プリプレグシート等を巻回して筒状の肉盛部を設けた場合、プリプレグシート等は巻回始端と巻回終端とが存在する関係から、所謂、偏肉部を生ずることが多く、それを加熱成形しても筒状肉盛部の外周は精度の高い円形でない場合が一般的であり、研削加工を要する。
【００２９】
また、穂先竿自体も加熱成形によって成形曲りが生じていることが多いこととと、撓み易いため、筒状肉盛部の表面を精度の高い円形に研削する加工では、工具等で穂先竿１０を掴んで回転させた場合、軸心を一定に維持し難く、通常、センタレス加工によって行われる。こうして精度良く円形に加工された表面ＺＢＳを有するガイド受座ＺＢの軸心ＣＬ２は、その位置の穂先竿１０の軸心ＣＬ１とは一致しないのが通常である。しかし、ガイド受座の表面ＺＢＳは精度の高い円形に形成できている。
【００３０】
上記センタレス加工に代えて、穂先竿１０の、筒状肉盛部の端から３０ｍｍ以内の部位を工作機械のチャック等によって保持し、穂先竿１０を回転させて筒状肉盛部表面を研削してもよい。この場合は、筒状肉盛部の直ぐ近くの部位を保持しているため、研削対象である筒状肉盛部の振れは殆ど生じず、軸心ＣＬ１と軸心ＣＬ２とが殆ど一致する。従って、センタレス加工の場合よりも、筒状のガイド受座の肉厚が円周方向において均一化し、凹凸条を形成するための必要最小限の肉厚にでき、釣竿の軽量化に寄与する。
【００３１】
図１０は、図９の精度の高い円形に加工されたガイド受座の表面ＺＢＳに、穂先竿１０の長手方向に延伸した凹凸条Ｊを円周方向に所定ピッチで多数本設ける工程を略示図示したものである。この凹凸条Ｊの溝を研削加工する際に、ガイド受座の表面ＺＢＳの後端部近くの筒状部ＥをチャックＴＫによって保持し、穂先竿１０を水平方向に保持し、この保持状態のまま、図１１に図示する工具（フライス）ＴＬを回転させつつ、この場合はガイド受座の上面側に、長手方向に指向した溝を研削する。この加工の際に、穂先竿１０が撓まないように、ガイド受座ＺＢの下面側を受けるための受け具ＵＫを設けてもよい。次ぎに、ガイド受座をチャックＴＫで保持したまま、所定ピッチ回転させて隣接した溝を同様に研削加工する。以後はこれを繰り返す。これにより、図１や図２に示すガイド受座が形成される。
【００３２】
上記のチャックＴＫを回転させる代わりに、チャックの保持を弛めて、他の手段で穂先竿１０を所定ピッチ角度回転させ、その状態で再び同じ筒状部Ｅを保持して工具ＴＬで溝加工してもよい。何れにしても、チャックで保持するのはガイド受部の外周面ＺＢＳの一部である前記筒状部Ｅであり、穂先竿１０自体の外周面ではない。このように、精度の高い円形に研削加工されているガイド受部の外周面ＺＢＳの一部を保持し、この外周面ＺＢＳに工具ＴＬで所定深さの溝を加工する。
【００３３】
この加工方法において、溝加工の対象物であるガイド受座ＺＢを（穂先竿と共に）回転させても、該ガイド受座の外周面ＺＢＳは精度の高い円形であるため、最初に設定した前記工具ＴＬの切り込み深さは、任意の角度回転させた後の、工具がガイド受座と対面する外周面の各部位においても、計測等の設定をやり直すことなく、そのまま適用しても、最初と同じ切り込み深さになる。即ち、溝加工の間、常に精度の高いガイド受座の円形外周面ＺＢＳを保持するため、回転角度に拘わらず工具ＴＬによる溝の深さを常に一定とすることができる。このことを本発明に係る方法発明（請求項５）において、円形のガイド受座外周を基準にして、と述べている。
【００３４】
上記例で使用した工具ＴＬは図１１の（ｂ）に側面視を図示しており、回転軸ＪＫの先部に刃具ＨＡを装着し、回転軸先端の固定部ＫＢで刃具ＨＡを固定している。（ａ）は正面図である。上記溝Ｊ２の形状は、この刃具ＨＡの形状によって定まる。
【００３５】
以下では、図１０の場合と異なって、ガイド受座の外周面全体に凹凸条Ｊを設ける場合の加工方法を説明する。チャックは、ガイド受座を上下や左右から挟むように保持し、チャックの外方側に、ガイド受座の外周面が露出するように開放部を設ける必要がある。この開放部に露出したガイド受座の外周面に対して切り込み量を設定し、道具の刃具を当接させて外周面の全長に亘り、長手方向の溝を形成する。
【００３６】
一本の溝の加工後は、チャック毎に回転させたり、又はチャックを弛めて、所定角度回転させて、再びチャックでガイド受座を保持して他の溝を加工し、以後これを繰り返す。従って、全周に亘って溝加工する場合は、加工した凹凸条部を保持することもある。この加工装置は、一般のフライス盤で代用できる。この方法の場合も、図１０で説明した凹凸条形成方法と同様に円形のガイド受座外周（場合により、円形のガイド受座外周の残存した凹凸条の凸条表面）を基準にしており、各溝の深さを一定にすることが容易である。
【００３７】
図１２は図１に示すガイド受座を設けた穂先竿１０の製造方法の一例を説明するための図である。芯金２０に穂先竿本体用のプリプレグシート２２を巻回し、その後、その外側の適宜位置にガイド受座形成用のプリプレグシート片２４Ａ，２４Ｂ，２４Ｃを巻回する。各シート片を予め本体用のプリプレグシート２２に重ね合わせておき、同時に巻回してもよい。また、各プリプレグの種類、枚数、厚さ、巻回数、材料等は任意に設定できる。
【００３８】
プリプレグシートを巻回後は、定法通り、緊締テープを巻回し、この状態で加熱焼成する。その後、緊締テープと芯金を除去、取り外して穂先竿を形成する。この後、ガイド受座外周面を円形に加工すると共に凹凸条を形成する。
ガイド受座形成用のプリプレグシート片は、穂先竿の撓み性を可及的に阻害させたくないため、弾性率が５０００ｋｇｆ／ｍｍ２（４９０００Ｎ／ｍｍ２）以下の低弾性率の炭素繊維を強化繊維として使用すると良い。例えば、弾性率１０００ｋｇｆ／ｍｍ２（９８００Ｎ／ｍｍ２）の炭素繊維を一方向に引き揃えた強化繊維にエポキシ樹脂を含浸した一方向引揃シートを使用する。その炭素繊維の指向方向は穂先竿の長手方向であり、低弾性率の強化繊維を用いたプリプレグを使用して剛性アップを押えると共に、長手方向繊維により、強度、耐久性の向上を図ることが可能となる。
【００３９】
以上の各説明では、ガイド受座として、特定のガイド受座ＺＢを例として説明しているが、他のガイド受座でも同様であり、また、竿杆として穂先竿を例としているが、ガイド受座を設ける他の竿杆でも同様である。異なる実施例において説明した各事項は、特に矛盾のない限り、他の実施例にも適用できる。
【００４０】
【発明の効果】
以上の説明から明らかなように本発明によれば、竿杆の肉盛部に多数の凹凸条を加工してガイド受座を形成する場合に、溝の深さを一定にでき、効率的に製造できて低コストな製造方法が提供でき、また、釣糸ガイドがガイド受座に確実に回り止め装着でき、かつ軽量で撓み性の良い釣竿が提供可能となる。
【図面の簡単な説明】
【図１】図１は本発明に係る釣竿の穂先竿の側面図である。
【図２】図２は図１の穂先竿の要部縦断面図である。
【図３】図３は図２の矢視線Ｃ−Ｃによる拡大部分横断面図である。
【図４】図４は図１に使用の遊動釣糸ガイドの正面図である。
【図５】図５は図４のガイドを装着させた状態の横断面図である。
【図６】図６は図５の要部拡大断面図である。
【図７】図７はガイド受座の他の形態例を示す図である。
【図８】図８は図７の矢視線Ｈ−Ｈによる拡大横断面図である。
【図９】図９は凹凸条を加工する前のガイド受座領域を模式的に示した図である。
【図１０】図１０はガイド受座に凹凸条を研削加工する過程の一工程模式図である。
【図１１】図１１は図１０において使用している工具の図である。
【図１２】図１２は穂先竿の成形過程の一工程図である。
【符号の説明】
１０　　　　　　　　　　　　　　穂先竿
１０Ａ，１０Ｂ，１０Ｃ　　　　　遊動ガイド
Ｊ　　　　　　　　　　　　　　　凹凸条
Ｊ１　　　　　　　　　　　　　　凸条
Ｊ２　　　　　　　　　　　　　　凹条（溝）
ＴＫ　　　　　　　　　　　　　　チャック
ＴＬ　　　　　　　　　　　　　　工具
ＺＢ　　　　　　　　　　　　　　ガイド受座
ＺＢＳ　　　　　　　　　　　　　ガイド受座の円形表面
【図１】
2004081079.tif 000003
【図２】
2004081079.tif 000004
【図３】
2004081079.tif 000005
【図４】
2004081079.tif 000006
【図５】
2004081079.tif 000007
【図６】
2004081079.tif 000008
【図７】
2004081079.tif 000009
【図８】
2004081079.tif 000010
【図９】
2004081079.tif 000011
【図１０】
2004081079.tif 000012
【図１１】
2004081079.tif 000013
【図１２】
2004081079.tif 000014